(57)【要約】【課題】  側面に取付物が取付られたスライダを縦方向に設けられたガイドレールに沿って円滑にスライドさせることができるスライダユニットを提供すること。【解決手段】  本発明のスライダユニット１０は、縦方向に設けられ、縦方向に沿ってガイド溝２２が形成されたガイドレール２０と、ガイド溝２２にスライド自在に挿入される固定スライダ３２が固定され、ガイドレール２０に沿ってスライドするスライダ３０とを備え、ガイドレール２０には、スライダ３０と向かい合う面側の左右中央に中央ガイド溝２３が形成され、スライダ３０には、中央ガイド溝２３にスライド自在に挿入されるローラ形状の回転スライダ３３が取り付けられることとした。【選択図】図１
2011080580.tif 000002
【特許請求の範囲】
【請求項１】
縦方向に設けられ、前記縦方向に沿ってガイド溝が形成されたガイドレールと、前記ガイド溝にスライド自在に挿入される固定スライダが固定され、前記ガイドレールに沿ってスライドするスライダとを備え、前記ガイドレールには、前記スライダと向かい合う面側の左右中央に中央ガイド溝が形成され、前記スライダには、前記中央ガイド溝にスライド自在に挿入されるローラ形状の回転スライダが取り付けられることを特徴とするスライダユニット。
【請求項２】
前記回転スライダは、前記ガイドレール部の上方と下方にそれぞれ取り付けられることを特徴とする請求項１に記載のスライダユニット。
【発明の詳細な説明】
【技術分野】
【０００１】  本発明は、側面に取付物が取付られたスライダを縦方向に設けられたガイドレールに沿って円滑にスライドさせることができるスライダユニットに関する。
【背景技術】
【０００２】  従来のスライダユニットは、ガイドレールと、ガイドレールに沿ってスライドするスライダとで構成され、スライダに取り付けられた取付物をガイドレールに沿ってスライド自在に移動することができる（例えば、特許文献１参照）。
【先行技術文献】
【特許文献】
【０００３】
【特許文献１】  特開２００９−１５５９００号公報
【発明の概要】
【発明が解決しようとする課題】
【０００４】  しかしながら、従来のスライダユニットは、縦方向に設けられたガイドレールに沿ってスライダをスライドするとき、スライダの側面に取付物が取付られるため取付物の加重によりスライダに回転方向への編加重が加わり、スライダが円滑にスライドしない可能性があるという問題があった。
本発明は、上記の問題に鑑みてなされたものであって、側面に取付物が取付られたスライダを縦方向に設けられたガイドレールに沿って円滑にスライドさせることができるスライダユニットを提供することを目的とする。
【課題を解決するための手段】
【０００５】  本発明のスライダユニットは、縦方向に設けられ、前記縦方向に沿ってガイド溝が形成されたガイドレールと、前記ガイド溝にスライド自在に挿入される固定スライダが固定され、前記ガイドレールに沿ってスライドするスライダとを備え、前記ガイドレールには、前記スライダと向かい合う面側の左右中央に中央ガイド溝が形成され、前記スライダには、前記中央ガイド溝にスライド自在に挿入されるローラ形状の回転スライダが取り付けられることとした。
さらに、前記回転スライダは、前記ガイドレール部の上方と下方にそれぞれ取り付けられることとした。
【発明の効果】
【０００６】  本発明のスライダユニットは、縦方向に設けられ、前記縦方向に沿ってガイド溝が形成されたガイドレールと、前記ガイド溝にスライド自在に挿入される固定スライダが固定され、前記ガイドレールに沿ってスライドするスライダとを備え、前記ガイドレールには、前記スライダと向かい合う面側の左右中央に中央ガイド溝が形成され、前記スライダには、前記中央ガイド溝にスライド自在に挿入されるローラ形状の回転スライダが取り付けられることとしたため、側面に取付物が取付られスライダに回転方向への編加重が加わっても、ガイドレールに沿って円滑にスライドさせることができる。
さらに、前記回転スライダは、前記ガイドレール部の上方と下方にそれぞれ取り付けられることとしたため、スライダをガイドレールに沿ってさらに円滑にスライドさせることができる。
【図面の簡単な説明】
【０００７】
【図１】  本発明の第１の実施の形態のスライダユニットの図を示し、図１（ａ）は、スライダユニットの斜視図を示し、図１（ｂ）は、ガイドレールの断面図を示し、図１（ｃ）は、スライダの断面図を示し、図１（ｄ）は、スライダユニットの断面図を示す。
【図２】  本発明の第２の実施の形態のスライダユニット付車椅子の図を示し、図２（ａ）は、スライダユニット付車椅子の側面図を示し、図２（ｂ）は、スライダユニット付車椅子の正面図を示し示し、図２（ｃ）は、スライダユニット付車椅子の断面図を示す。
【図３】  本発明の第２の実施の形態のスライダユニット付車椅子が上昇状態になったときの断面図を示す。
【図４】  本発明の第２の実施の形態のスライダユニット付車椅子に設けられる昇降駆動部の一部拡大の側面図を示す。
【発明を実施するための形態】
【０００８】  以下、本発明の実施の形態のスライダユニットにつき説明する。
【実施例１】
【０００９】  図１は、本発明の第１の実施の形態のスライダユニットの図を示し、図１（ａ）は、スライダユニットの斜視図を示し、図１（ｂ）は、ガイドレールの断面図を示し、図１（ｃ）は、スライダの断面図を示し、図１（ｄ）は、スライダユニットの断面図を示す。
図１（ａ）に示すように、本発明の実施の形態のスライダユニット１０は、縦方向に設けられたガイドレール２０と、ガイドレール２０に沿って縦方向にスライドするスライダ３０とで構成されている。
スライダ３０には、設置物が設置されるステー３８ａ、３８ｂがガイドレール２０と向かい合う面と平行に固定されており、また、設置物の取付用の延長ステー３９が矢印Ｋに示すように内側に取り付けられている。
図１（ｂ）に示すように、ガイドレール２０は、スライダ３０と向かい合う面側の左右中央に断面がコの字形状の中央ガイド溝２３が縦方向に形成され、断面がコの字形状の中央ガイド溝２３を挟み円筒形状の側方ガイド溝２２が縦方向に形成されている。
図１（ｃ）に示すように、スライダ３０は、ガイドレール２０と向かい合う面側の左右中央に図１（ｂ）に示す中央ガイド溝２３に沿ってスライドする回転スライダ３３が取り付けられ、回転スライダ３３を挟み図１（ｂ）に示す側方ガイド溝２２に沿ってスライドする円柱形状の固定スライダ３２が固定されている。設置物の取付用の延長ステー３９がスライダ３０の内側に取り付けられ、回転スライダ３３は、貫通穴３７より挿入されたボルト３６により固定された丸棒３４に回転自在に円筒部３５が挿入されローラ形状になっており、中央ガイド溝２３に沿って円滑にスライドすることができる。
図１（ｄ）に示すように、スライダユニット１０は、ガイドレール２０に回転スライダ３３と、円柱形状の固定スライダ３２が取り付けられ、ガイドレール２０に沿ってスライダ３０が縦方向にスライド自在となっている。【００１０】  従って、本発明の第１の実施の形態のスライダユニット１０は、ガイドレール２０に形成された側方ガイド溝２２に円柱形状の固定スライダ３２が挿入されスライドするとともに、ガイドレール２０に形成された中央ガイド溝２３に回転スライダ３３が挿入されスライドするため、回転スライダ３３が中央ガイド溝２３の内側側面に当接し、スライダ３０に矢印Ｐに示す編加重が加わっても、ガイドレール２０に沿ってスライダ３０を円滑にスライドさせることができる。
なお、円柱形状の固定スライダ３２は、断面を花柄形状にすることもできる。
また、回転スライダ３３は、スライダ３０に１個だけ取り付けることとしたが、スライダ３０の上方と下方に取り付けることもできる。
【実施例２】
【００１１】  図２は、本発明の第２の実施の形態のスライダユニット付車椅子の図を示し、図２（ａ）は、スライダユニット付車椅子の側面図を示し、図２（ｂ）は、スライダユニット付車椅子の正面図を示し示し、図２（ｃ）は、スライダユニット付車椅子の断面図を示す。
図２（ａ）に示すように、本発明の第２の実施の形態のスライダユニット付車椅子４０は、ベース部４２の下方に車輪部４８が取り付けられ、ベース部４２の上方に肘掛部４５とスライダユニット４１とが取り付けられ、スライダユニット４１は、ガイドレール４３とスライダ４４とで構成されている。
図２（ｂ）に示すように、本発明の第２の実施の形態のスライダユニット付車椅子４０は、取り付けられたスライダユニット４１がガイドレール４３とスライダ４４とで構成され、スライダ４４にはシート（図示せず）の取付用のステー部４７と、シートバック（図示せず）の取付用の延長ステー４６とが取り付けられている。ステー部４７は、ステー部４７の横ステー４７ａと連結する昇降駆動部５０により昇降することができる。
図２（ｃ）は、図２（ｂ）のＢＢ断面図を示し、本発明の第２の実施の形態のスライダユニット付車椅子４０は、ステー部４７が横ステー４７ａと連結する昇降駆動部５０により昇降することができる。【００１２】  図３は、本発明の第２の実施の形態のスライダユニット付車椅子が上昇状態になったときの断面図を示す。
図３は、本発明の第２の実施の形態のスライダユニット付車椅子４０が図２（ｂ）のＣＣ断面図に示す状態から上昇状態になったときを示し、スライダユニット付車椅子４０は、ステー部４７が横ステー４７ａと連結する昇降駆動部５０により上昇状態にすることができる。
昇降駆動部５０は、モータ（図示せず）により駆動されるスプロケット５１と、スプロケット５１により駆動されるチェーン５２と、チェーン５２の各チェーンブロック５２ａと連結する移動ブロック５３とで構成されている。連続する移動ブロック５３は、端部がステー部４７の横ステー４７ａと連結する。【００１３】  図４は、本発明の第２の実施の形態のスライダユニット付車椅子に設けられる昇降駆動部の一部拡大の側面図を示す。
図４に昇降駆動部５０を示すように、各チェーンブロック５２ａは連結部５７により移動ブロック５３と連結し、チェーンブロック５２ａの移動により連続する移動ブロック５３が移動する。【００１４】  図３に示すように、モータ（図示せず）によりスプロケット５１が回転駆動されると、チェーン５２が移動されるとともに連続する移動ブロック５３が下方ではガイドケース５８に沿い上方では独立して移動し、ステー部４７が昇降する。図３は、ステー部４７が横ステー４７ａを介し上昇したときを示す。【００１５】  以上述べたごとく、本発明の第２の実施の形態のスライダユニット付車椅子４０は、スライダユニット４１を使用しているため、昇降駆動部５０によりスライダユニット４１に取り付けられたシート取付用のステー部４７と、シートバック取付用の延長ステー４６とを円滑に昇降することができる。
【産業上の利用可能性】
【００１６】  本発明のスライダユニットは、車椅子に取り付ける例につき説明したが、これに限定されることなく、つり戸棚や床下収納庫などにも幅広く適用することができる。
【符号の説明】
【００１７】  １０、４１  スライダユニット
２０、４３  ガイドレール
２２  側方ガイド溝
２３  中央ガイド溝
３０、４４  スライダ
３２  固定スライダ
３３  回転スライダ
３８ａ、３８ｂ  ステー
３９、４６  延長ステー
４０  スライダユニット付車椅子
４７  ステー部
５０  昇降駆動部
５１  スプロケット
５２  チェーン
５３  移動ブロック
【図１】
2011080580.tif 000003
【図２】
2011080580.tif 000004
【図３】
2011080580.tif 000005
【図４】
2011080580.tif 000006